(57)【特許請求の範囲】
【請求項１】
カラーパネル構造を有する液晶表示装置を出力先とする原色データのディジタル信号処理装置であって、
階調レベルに応じて対応付けられる重み係数の１ライン単位での重み係数和を、原色データ別に算出するライン単位重み係数和算出部と、
ライン毎に、１ライン分の自色の重み係数和及び他色の重み係数和を用いて補正係数値を原色データ別に算出する補正係数値算出部と、
各ラインの先頭から処理対象とする画素位置までの部分重み係数和を原色データ別に逐次算出する部分重み係数和算出部と、
原色データ別に、処理対象とする画素位置に対してスキャン方向前方の第１の補正量成分を、前記補正係数値と前記部分重み係数和との差分に基づいて算出する第１の補正量成分算出部と、
原色データ別に、処理対象とする画素位置に対してスキャン方向後方の第２の補正量成分を、前記補正係数値に基づいて算出する第２の補正量成分算出部と、
前記第１の補正量成分及び前記第２の補正量成分に基づいて、処理対象とする画素位置の各原色データに適用する補正量を逐次算出する補正量算出部と、
各原色データ用の前記補正量が算出されるまで、各原色データを１ライン期間遅延するラインメモリと、
前記ラインメモリで遅延された各原色データを、対応する前記補正量により逐次補正する横クロストーク補正部、
とを有するディジタル信号処理装置。
【請求項２】
補正係数値算出部は、
前記補正係数値を、原色データ別に同じラインの自色の重み係数和及び他色の重み係数和の平均値として算出する請求項１に記載のディジタル信号処理装置。
【請求項３】
前記補正係数値算出部は、
前記補正係数値を、各原色データに対応するライン単位の重み係数和を所定の比率で混合した値として算出する請求項１に記載のディジタル信号処理装置。
【請求項４】
前記補正係数値算出部は、
前記補正係数値を、各原色データに対応するライン単位の重み係数和を全ての同じ比率で混合した値として算出する請求項１に記載のディジタル信号処理装置。
【請求項５】
第１の補正量成分算出部は、原色データ毎に異なる係数を適用して第１の補正量成分を算出し、
第２の補正量成分算出部は、原色データ毎に異なる係数を適用して第２の補正量成分を算出する請求項１に記載のディジタル信号処理装置。
【請求項６】
第１の補正量成分算出部は、階調レベル毎に異なる係数を適用して第１の補正量成分を算出し、
第２の補正量成分算出部は、階調レベル毎に異なる係数を適用して第２の補正量成分を算出する請求項１に記載のディジタル信号処理装置。
【請求項７】
カラーパネル構造を有する液晶表示装置を出力先とする原色データのディジタル信号処理装置であって、
倍速表示中の１フィールド目に動作して、階調レベルに応じて対応付けられる重み係数の１ライン単位での重み係数和を、原色データ別に算出するライン単位重み係数和算出部と、
倍速表示中の１フィールド目に動作して、ライン毎に、１ライン分の自色の重み係数和及び他色の重み係数和を用いて補正係数値を原色データ別に算出する補正係数値算出部と、
倍速表示中の１フィールド目に算出された前記補正係数値を１フィールド分保持するラインメモリと、
倍速表示中の２フィールド目に動作して、各ラインの先頭から処理対象とする画素位置までの部分重み係数和を原色データ別に逐次算出する部分重み係数和算出部と、
倍速表示中の２フィールド目に動作して、原色データ別に、処理対象とする画素位置に対してスキャン方向前方の第１の補正量成分を、前記１フィールド分保持された補正係数値と前記部分重み係数和との差分に基づいて算出する第１の補正量成分算出部と、
倍速表示中の２フィールド目に動作して、原色データ別に、処理対象とする画素位置に対してスキャン方向後方の第２の補正量成分を、前記１フィールド分保持された補正係数値に基づいて算出する第２の補正量成分算出部と、
倍速表示中の２フィールド目に動作して、前記第１の補正量成分及び前記第２の補正量成分に基づいて、処理対象とする画素位置の各原色データに適用する補正量を逐次算出する補正量算出部と、
倍速表示中の２フィールド目に入力された各原色データを、前記補正量により逐次補正する横クロストーク補正部、
とを有するディジタル信号処理装置。
【請求項８】
カラーパネル構造を有する液晶表示装置であって、
階調レベルに応じて対応付けられる重み係数の１ライン単位での重み係数和を、原色データ別に算出するライン単位重み係数和算出部と、
ライン毎に、１ライン分の自色の重み係数和及び他色の重み係数和を用いて補正係数値を原色データ別に算出する補正係数値算出部と、
各ラインの先頭から処理対象とする画素位置までの部分重み係数和を原色データ別に逐次算出する部分重み係数和算出部と、
原色データ別に、処理対象とする画素位置に対してスキャン方向前方の第１の補正量成分を、前記補正係数値と前記部分重み係数和との差分に基づいて算出する第１の補正量成分算出部と、
原色データ別に、処理対象とする画素位置に対してスキャン方向後方の第２の補正量成分を、前記補正係数値に基づいて算出する第２の補正量成分算出部と、
前記第１の補正量成分及び前記第２の補正量成分に基づいて、処理対象とする画素位置の各原色データに適用する補正量を逐次算出する補正量算出部と、
各原色データ用の前記補正量が算出されるまで、各原色データを１ライン期間遅延するラインメモリと、
前記ラインメモリで遅延された各原色データを、対応する前記補正量により逐次補正する横クロストーク補正部と、
補正後の原色データにより液晶パネルを駆動する駆動部、
とを有する液晶表示装置。
【請求項９】
カラーパネル構造を有する液晶表示装置であって、
倍速表示中の１フィールド目に動作して、階調レベルに応じて対応付けられる重み係数の１ライン単位での重み係数和を、原色データ別に算出するライン単位重み係数和算出部と、
倍速表示中の１フィールド目に動作して、ライン毎に、１ライン分の自色の重み係数和及び他色の重み係数和を用いて補正係数値を原色データ別に算出する補正係数値算出部と、
倍速表示中の１フィールド目に算出された補正係数値を１フィールド分保持するラインメモリと、
倍速表示中の２フィールド目に動作して、各ラインの先頭から処理対象とする画素位置までの部分重み係数和を原色データ別に逐次算出する部分重み係数和算出部と、
倍速表示中の２フィールド目に動作して、原色データ別に、処理対象とする画素位置に対してスキャン方向前方の第１の補正量成分を、前記１フィールド分保持された補正係数値と前記部分重み係数和との差分に基づいて算出する第１の補正量成分算出部と、
倍速表示中の２フィールド目に動作して、原色データ別に、処理対象とする画素位置に対してスキャン方向後方の第２の補正量成分を、前記１フィールド分保持された補正係数値に基づいて算出する第２の補正量成分算出部と、
倍速表示中の２フィールド目に動作して、前記第１の補正量成分及び前記第２の補正量成分に基づいて、処理対象とする画素位置の各原色データに適用する補正量を逐次算出する補正量算出部と、
倍速表示中の２フィールド目に入力された各原色データを、前記補正量により逐次補正する横クロストーク補正部と、
補正後の原色データにより液晶パネルを駆動する駆動部、
とを有する液晶表示装置。
【請求項１０】
カラーパネル構造を有する液晶表示装置を出力先とする原色データのディジタル信号処理方法であって、
階調レベルに応じて対応付けられる重み係数の１ライン単位での重み係数和を、原色データ別に算出するライン単位重み係数和算出処理と、
ライン毎に、１ライン分の自色の重み係数和及び他色の重み係数和を用いて補正係数値を原色データ別に算出する補正係数値算出処理と、
各ラインの先頭から処理対象とする画素位置までの部分重み係数和を原色データ別に逐次算出する部分重み係数和算出処理と、
原色データ別に、処理対象とする画素位置に対してスキャン方向前方の第１の補正量成分を、前記補正係数値と前記部分重み係数和との差分に基づいて算出する第１の補正量成分算出処理と、
原色データ別に、処理対象とする画素位置に対してスキャン方向後方の第２の補正量成分を、前記補正係数値に基づいて算出する第２の補正量成分算出処理と、
前記第１の補正量成分及び前記第２の補正量成分に基づいて、処理対象とする画素位置の各原色データに適用する補正量を逐次算出する補正量算出処理と、
各原色データ用の前記補正量が算出されるまで、各原色データを１ライン期間遅延する遅延処理と、
前記１ライン期間遅延された各原色データを、対応する前記補正量により逐次補正する横クロストーク補正処理、
とを有するディジタル信号処理方法。
【請求項１１】
カラーパネル構造を有する液晶表示装置を出力先とする原色データのディジタル信号処理方法であって、
倍速表示中の１フィールド目に動作して、階調レベルに応じて対応付けられる重み係数の１ライン単位での重み係数和を、原色データ別に算出するライン単位重み係数和算出処理と、
倍速表示中の１フィールド目に動作して、ライン毎に、１ライン分の自色の重み係数和及び他色の重み係数和を用いて補正係数値を原色データ別に算出する補正係数値算出処理と、
倍速表示中の１フィールド目に算出された補正係数値を１フィールド分保持する遅延処理と、
倍速表示中の２フィールド目に動作して、各ラインの先頭から処理対象とする画素位置までの部分重み係数和を原色データ別に逐次算出する部分重み係数和算出処理と、
倍速表示中の２フィールド目に動作して、原色データ別に、処理対象とする画素位置に対してスキャン方向前方の第１の補正量成分を、前記１フィールド分保持された補正係数値と前記部分重み係数和との差分に基づいて算出する第１の補正量成分算出処理と、
倍速表示中の２フィールド目に動作して、原色データ別に、処理対象とする画素位置に対してスキャン方向後方の第２の補正量成分を、前記１フィールド分保持された補正係数値に基づいて算出する第２の補正量成分算出処理と、
倍速表示中の２フィールド目に動作して、前記第１の補正量成分及び前記第２の補正量成分に基づいて、処理対象とする画素位置の各原色データに適用する補正量を逐次算出する補正量算出処理と、
倍速表示中の２フィールド目に入力された各原色データを、前記補正量により逐次補正する横クロストーク補正処理、
とを有するディジタル信号処理方法。
【請求項１２】
カラーパネル構造を有する液晶表示装置を出力先とする原色データを処理するコンピュータに、
階調レベルに応じて対応付けられる重み係数の１ライン単位での重み係数和を、原色データ別に算出するライン単位重み係数和算出処理と、
ライン毎に、１ライン分の自色の重み係数和及び他色の重み係数和を用いて補正係数値を原色データ別に算出する補正係数値算出処理と、
各ラインの先頭から処理対象とする画素位置までの部分重み係数和を原色データ別に逐次算出する部分重み係数和算出処理と、
原色データ別に、処理対象とする画素位置に対してスキャン方向前方の第１の補正量成分を、前記補正係数値と前記部分重み係数和との差分に基づいて算出する第１の補正量成分算出処理と、
原色データ別に、処理対象とする画素位置に対してスキャン方向後方の第２の補正量成分を、前記補正係数値に基づいて算出する第２の補正量成分算出処理と、
前記第１の補正量成分及び前記第２の補正量成分に基づいて、処理対象とする画素位置の各原色データに適用する補正量を逐次算出する補正量算出処理と、
各原色データ用の補正量が算出されるまで、各原色データを１ライン期間遅延する遅延処理と、
前記１ライン期間遅延された各原色データを、対応する前記補正量により逐次補正する横クロストーク補正処理、
とを実行させるコンピュータプログラム。
【請求項１３】
カラーパネル構造を有する液晶表示装置を出力先とする原色データを処理するコンピュータに、
倍速表示中の１フィールド目に動作して、階調レベルに応じて対応付けられる重み係数の１ライン単位での重み係数和を、原色データ別に算出するライン単位重み係数和算出処理と、
倍速表示中の１フィールド目に動作して、ライン毎に、１ライン分の自色の重み係数和及び他色の重み係数和を用いて補正係数値を原色データ別に算出する補正係数値算出処理と、
倍速表示中の１フィールド目に算出された補正係数値を１フィールド分保持する遅延処理と、
倍速表示中の２フィールド目に動作して、各ラインの先頭から処理対象とする画素位置までの部分重み係数和を原色データ別に逐次算出する部分重み係数和算出処理と、
倍速表示中の２フィールド目に動作して、原色データ別に、処理対象とする画素位置に対してスキャン方向前方の第１の補正量成分を、前記１フィールド分保持された補正係数値と前記部分重み係数和との差分に基づいて算出する第１の補正量成分算出処理と、
倍速表示中の２フィールド目に動作して、原色データ別に、処理対象とする画素位置に対してスキャン方向後方の第２の補正量成分を、前記１フィールド分保持された補正係数値に基づいて算出する第２の補正量成分算出処理と、
倍速表示中の２フィールド目に動作して、前記第１の補正量成分及び前記第２の補正量成分に基づいて、処理対象とする画素位置の各原色データに適用する補正量を逐次算出する補正量算出処理と、
倍速表示中の２フィールド目に入力された各原色データを、前記補正量により逐次補正する横クロストーク補正処理、
とを実行させるコンピュータプログラム。
【発明の詳細な説明】
【技術分野】
【０００１】
この明細書で説明する発明は、液晶表示装置で発生する横クロストークを軽減する技術
に関する。
なお発明は、ディジタル信号処理装置、液晶表示装置、ディジタル信号処理方法及びコ
ンピュータプログラムとしての側面を有する。
【背景技術】
【０００２】
現在、様々な電子機器に液晶表示装置が搭載されている。図１に、液晶表示装置を構成する基板モジュール１の等価回路を示す。
【０００３】
基板モジュール１は、ガラス基板上に形成された画素アレイ部３とその外周部に形成又は装着される駆動回路（Ｈシフトレジスタ５、Ｈスイッチ部７、Ｖシフトレジスタ９）で構成される。
【０００４】
まず、画素アレイ部３の構造を説明する。画素アレイ部３は、ｍ行分のゲート線１１(0)〜１１(m-1) と、ｎ列分のデータ線１３(0) 〜１３(n-1) と、これらの交点に位置するｍ行×ｎ列の画素１５を基本構成とする。
【０００５】
なお、図１に示す画素アレイ部３はカラー表示用である。このため、図１では、各色に対応するデータ線を１３（i）Ｒ、１３（i）Ｇ、１３（i）Ｂで示している。ただし、ｉは、０〜ｎ−１で与えられる。また、各色に対応するサブ画素を１５Ｒ、１５Ｇ、１５Ｂで示している。
【０００６】
図２に、サブ画素の等価回路を示す。サブ画素は、スイッチ素子としての薄膜トランジスタＴ１と、信号電位Ｖｓｉｇの保持容量Ｃｓと、液晶素子ＬＣとで構成される。液晶素子ＬＣは、画素電極と対向電極１７によって液晶を挟んだ構造を有している。
【０００７】
ここでの対向電極（Ｖｃｏｍ）１７は、画素アレイ部３を構成する全ての画素１５に共通する電極であり、実際には画素１５の配置領域の全体を覆う単一電極として形成される。
【０００８】
次に、駆動回路の構造を説明する。Ｈシフトレジスタ５は、信号電位Ｖｓｉｇをデータ線１３に印加するタイミングを与える回路デバイスである。図１の場合、Ｈシフトレジスタ５の駆動信号は、Ｈスイッチ部７を構成する相補型スイッチのオン・オフ制御に使用される。ｎチャネルＦＥＴとｐチャネルＦＥＴで構成される相補型スイッチは、１本のデータ線１３に付き１つずつ配置される。
【０００９】
なお、液晶は同じ極性で駆動を続けると特性が劣化することが知られている。このため、１ライン単位毎及び１フィールド単位毎、信号電位Ｖｓｉｇの極性を反転する駆動方式が一般に採用されている。従って、相補型スイッチの一方の主電極に供給される信号電位Ｖｓｉｇの極性は１ライン単位毎及び１フィールド単位毎に入れ替えられる。
Ｖシフトレジスタ９は、各サブ画素１７に対する信号電位Ｖｓｉｇの書き込みタイミングをゲート線単位で与える回路デバイスである。
【発明の開示】
【発明が解決しようとする課題】
【００１０】
ところで、昨今の液晶表示装置にはクロストークへの対策が求められている。クロストークとは、ある画素の信号電位Ｖｓｉｇが周辺画素に漏れ込み本来は存在しない陰やパターンを画面上に生じさせる現象をいう。クロストークには、縦クロストークと呼ばれる画面内の縦方向に発生するものと、横クロストークと呼ばれる画面内の水平方向に発生するものとがある。
【００１１】
この明細書では、横クロストークに着目する。現在、横クロストークは、主に２つ原因により発生すると考えられている。例えばデータ線の電位ホールド後に黒信号電位が相補型スイッチから隣のデータ線にリークすることが原因である。また例えばデータ線の電位ホールド後に黒信号電位が相展開サンプリングされることにより、同極性の揺れやノイズが共通電極（Ｖｃｏｍ）又はゲートラインに伝播することが原因である。
【００１２】
図３及び図４に、電位変動の伝搬モデルを示す。図３は、配線間の寄生容量が伝搬経路となる様子を説明する図である。信号電位Ｖｓｉｇのゲート線１１及び対向電極（Ｖｃｏｍ）１７への伝搬は、図中に太い破線で示す寄生容量を通じて実行される。
【００１３】
図４は、共通電位Ｖｃｏｍを揺らす原因が黒電位の書き込みであることを説明する図である。図４（Ａ）は黒信号電位が無い状態における共通電位Ｖｃｏｍを示す。図４（Ｂ）は、黒電位の書き込みによって共通電位Ｖｃｏｍが図中の破線で示すように黒電位側に変動した様子を示す。ゲートパルスがオフになるまでの間に、保持電位Ｖｂがホールド時の電位Ｖａ（＞Ｖｂ）まで回復しなければ、横クロストークが発生することになる。
【００１４】
図５に、横クロストークのイメージを示す。図５は、灰色単色の背景画面上に黒ウィンドウを表示する場合に現れる横クロストールの例を示している。図５（Ａ）及び（Ｂ）に示すように、横クロストークはスキャン方向前方に濃く現れ易く、スキャン方向後方に薄く現れ易い特徴がある。
【００１５】
以下では、横クロストークの軽減のために提案されている従来技術について説明する。
【特許文献１】特開２００６−２４３２６７号公報  この特許文献には、印加電圧に対応する係数を用いて補正対象ラインの印加電圧の総和量と１ライン前の印加電圧の総和量を求め、その差分に基づいて共通電位Ｖｃｏｍの揺れ量を求める方法が開示されている。この方法の場合、入力信号に対応する印加電圧を揺れ量で補正した電圧を液晶パネルに書き込むことによりクロストークを低減する。
【００１６】
しかし、この技術はモノクロパネルに関する技術である。従って、カラーパネル構造を有する液晶表示装置に応用しても、隣接する他色の原色データが隣接画素に与える影響が考慮されていない。また、この技術では、信号電位Ｖｓｉｇのリークに起因する横クロストークにしか対応していない。
【００１７】
また、この技術では、補正対象画素がスキャン方向に対する位置関係とは無関係に（すなわち、スキャン方向前方か後方かの違いなく）補正量が決定される。すなわち、階調レベルが同じであれば、位置関係とは無関係に同じ補正量が使用される。このように、従来技術の場合には、スキャン方向に対する位置関係に応じて横クロストークの現れ方が異なるにもかかわらず、位置関係が補正動作になんら反映されない問題がある。
【００１８】
【特許文献２】特開２００５−３５２４４４号公報  この特許文献には、図６に示すように、スキャン方向に対する自色隣接画素又は自色隣々接画素からの影響を考慮して横クロストークの補正値を決定する技術が開示されている。
【００１９】
しかし、補正できるのは自絵素の隣接画素又は隣々接画素の範囲内に限られる。また、開示された計算式では、スキャン方向前方側に位置する自画素を補正することを目的とする。このため、スキャン方向後方に位置する画素については補正効果が及ばない問題がある。
【課題を解決するための手段】
【００２０】
そこで、発明者らは、カラーパネル構造を有する液晶表示装置に適用して好適であり、かつ、スキャン方向に対して前方にも後方にも発生する横クロストークを適切に補正できるディジタル信号処理技術を提案する。
【００２１】
すなわち、カラーパネル構造を有する液晶表示装置を出力先とする原色データのディジタル信号処理方法として、以下の処理工程を有する技術を適用する。
（ａ）階調レベルに応じて対応付けられる重み係数の１ライン単位での重み係数和を、原色データ別に算出するライン単位重み係数和算出処理
（ｂ）ライン毎に、１ライン分の自色の重み係数和及び他色の重み係数和を用いて補正係数値を原色データ別に算出する補正係数値算出処理
（ｃ）各ラインの先頭から処理対象とする画素位置までの部分重み係数和を原色データ別に逐次算出する部分重み係数和算出処理
（ｄ）原色データ別に、処理対象とする画素位置に対してスキャン方向前方の第１の補正量成分を、補正係数値と部分重み係数和との差分に基づいて算出する第１の補正量成分算出処理
（ｅ）原色データ別に、処理対象とする画素位置に対してスキャン方向後方の第２の補正量成分を、補正係数値に基づいて算出する第２の補正量成分算出処理
（ｆ）第１の補正量成分及び第２の補正量成分に基づいて、処理対象とする画素位置の各原色データに適用する補正量を逐次算出する補正量算出処理
（ｇ）各原色データ用の補正量が算出されるまで、各原色データを１ライン期間遅延する処理
（ｈ）ラインメモリで遅延された各原色データを、対応する補正量により逐次補正する横クロストーク補正処理
【００２２】
また、倍速表示機能に対応するカラーパネル構造の液晶表示装置用に、以下の処理工程を有するディジタル信号処理方法を提案する。
（ａ）倍速表示中の１フィールド目に動作して、階調レベルに応じて対応付けられる重み係数の１ライン単位での重み係数和を、原色データ別に算出するライン単位重み係数和算出処理
（ｂ）倍速表示中の１フィールド目に動作して、ライン毎に、１ライン分の自色の重み係数和及び他色の重み係数和を用いて補正係数値を原色データ別に算出する補正係数値算出処理
（ｃ）倍速表示中の１フィールド目に算出された補正係数値を１ライン期間遅延する遅延処理
（ｄ）倍速表示中の２フィールド目に動作して、各ラインの先頭から処理対象とする画素位置までの部分重み係数和を原色データ別に逐次算出する部分重み係数和算出処理
（ｅ）倍速表示中の２フィールド目に動作して、原色データ別に、処理対象とする画素位置に対してスキャン方向前方の第１の補正量成分を、補正係数値と部分重み係数和との差分に基づいて算出する第１の補正量成分算出処理
（ｆ）倍速表示中の２フィールド目に動作して、原色データ別に、処理対象とする画素位置に対してスキャン方向後方の第２の補正量成分を、補正係数値に基づいて算出する第２の補正量成分算出処理
（ｇ）倍速表示中の２フィールド目に動作して、第１の補正量成分及び第２の補正量成分に基づいて、処理対象とする画素位置の各原色データに適用する補正量を逐次算出する補正量算出処理
（ｈ）倍速表示中の２フィールド目に入力された各原色データを、補正量により逐次補正する横クロストーク補正処理
【発明の効果】
【００２３】
発明者らの提案する発明の場合には、１ラインを構成する全ての画素に対応する原色データの情報（具体的には、原色データ別に同じラインの他色情報も反映した重み係数和の平均値又は各原色データに対応するライン単位の重み係数和を所定の比率で混合した値）を各原色データに対応する横ストローク補正値に反映できる。
【００２４】
この際、１ラインを構成する全ての画素に対応する原色データの情報は、スキャン方向前方の補正量にもスキャン方向後方の補正量にも反映される。
このため、従来手法のように補正効果がスキャン方向前方にのみ限定される現象や補正効果が色単位で完結するために他色との関係で色ずれが発生する現象を確実に改善できる。
【発明を実施するための最良の形態】
【００２５】
以下、発明を、アクティブマトリクス駆動型の液晶表示装置に搭載して好適なディジタル信号処理装置について説明する。
なお、本明細書で特に図示又は記載されない部分には、当該技術分野の周知又は公知技術を適用する。
また以下に説明する形態例は、発明の一つの形態例であって、これらに限定されるものではない。
【００２６】
（Ａ）全体構成
図７に、液晶表示装置２１の主要構成部分を示す。この形態例に係る液晶表示装置２１は、液晶ディスプレイ２３と、信号処理部２５と、システム制御部２７と、不図示の駆動回路（図１）等で構成される。
【００２７】
液晶ディスプレイ２３は、不図示のバックライト（光源）と液晶パネルとで構成される。このうち、液晶パネルは、基板モジュール（図１）と、液晶層と、カラーフィルタその他で構成される前面モジュールとで構成される。液晶ディスプレイ２３の構造は既知であるので詳細な説明は省略する。
【００２８】
信号処理部２５は、入力画像信号を液晶パネルの表示に適した信号形式に処理する処理デバイスである。
図８に、信号処理部２５の内部構成例を示す。信号処理部２５は、Ａ／Ｄ・ＰＬＬ部３１、映像信号変換部３３、ディジタル信号処理部３５、サンプルホールド部３７で構成される。
【００２９】
Ａ／Ｄ・ＰＬＬ部３１は、入力画像信号がアナログ信号の場合に、これをディジタル形式の画素データに変換する処理及び位相同期を実現する処理デバイスである。
映像信号変換部３３は、液晶パネルの画素数やクロック周波数に適応した画素データ（原色データ）に変換する処理デバイスである。
【００３０】
ディジタル信号処理部３５は、コントラスト調整やクロストーク補正を実行する処理デバイスである。後述する横クロストーク補正も、このディジタル信号処理部３５が実行する。
【００３１】
サンプルホールド部３７は、信号処理後の画素データ（原色データ）を液晶パネルの駆動用にサンプルホールド処理を実行する処理デバイスである。
システム制御部２７は、液晶表示装置全体を制御する制御ユニットであり、信号処理部２５の映像信号変換部３３、ディジタル信号処理部３５、サンプルホールド部３７等を制御する。
【００３２】
（Ｂ）横クロストークの補正処理
（Ｂ−１）処理例１
以下の処理動作では、図９に示すように、垂直走査周波数が入出力間で同じ場合を想定する。
【００３３】
図１０に、ディジタル信号処理部３５に適用して好適な回路構成例を示す。なお、図１０に示す回路構成の全部を集積回路として実現することもできるし、集積回路とソフトウェア処理との混合回路として実現することもできる。
【００３４】
図１０に示すディジタル信号処理部３５は、幾つかの機能ブロックで構成される。以下、機能ブロック別に処理内容を説明する。
【００３５】
（ａ）原色データ別の重み係数和算出ブロック（ライン単位）
１つ目の機能ブロックは、原色データ別に水平ライン単位で重み係数和を算出する機能ブロックである。図１０では、ＲデータＤＲin用の機能ブロックをR_th_sum算出部４１Ｒで示し、ＧデータＤＧin用の機能ブロックをG_th_sum算出部４１Ｇで示し、ＢデータＤＢin用の機能ブロックをB_th_sum算出部４１Ｂで示す。
【００３６】
これらの機能ブロックでは、１画素毎に原色データの階調レベルと閾値とを比較し、判定結果に対応する重み係数に変換する処理がまず最初に実行される。図１１に、階調レベルの範囲と重み係数との対応関係の一例を示す。図中の数値は、データ長が１２ビット（ 0〜4095）で与えられる場合の数値例である。図１１の場合、原色データの階調レベルは５つの区分の重み係数に変換される。なお、比較用の閾値は、各範囲の境界値として与えられる。
【００３７】
この形態例の場合、黒レベルに近い区分（000h〜200h）には重み係数「２」を対応付け、次に黒レベルに近い区分（200h〜400h）には重み係数「１」を対応付け、真ん中の区分（400h〜600h）には重み係数「０」を対応付け、白レベルに２番目に近い区分（600h〜800h）には重み係数「−１」を対応付け、白レベルに近い区分（800h〜FFFh）には重み係数「−２」を対応付ける。
【００３８】
また、この形態例の場合、Ｒデータにも、Ｇデータにも、Ｂデータにも同じ閾値の組み合わせを適用するが、原色データ別に異なる閾値の組み合わせを適用しても良い。なお、これらの閾値の組み合わせＳthは外部から与えられ、メモリに格納される。
【００３９】
R_th_sum算出部４１Ｒ、G_th_sum算出部４１Ｇ及びB_th_sum算出部４１Ｂは、いずれも対応する原色データを変換した重み係数を１水平ラインに亘って累積的に加算し、原色データが次の水平ラインに切り替わる直前の累積値を重み係数和データR_th_sum、G_th_sum、B_th_sumとして出力する。なお、重み係数和データR_th_sum、G_th_sum、B_th_sumの出力後、重み係数和データはリセットされる。
【００４０】
図１２に、重み係数和データR_th_sum、G_th_sum、B_th_sumの算出イメージを示す。図１２（Ａ）は、原色データの入力例である。図中の「Ｒ」、「Ｇ」、「Ｂ」は、データがＲデータ、Ｇデータ、Ｂデータであることを示している。また、図中の数値は、図１１とは異なり、データ長が８ビット（0〜255）で与えられる場合の数値例である。
【００４１】
図１２（Ｂ）は、原色データに対応する表示例のイメージ図である。図中の濃淡が図１２（Ａ）の数値に対応する。数値が小さいほど濃い色になる。なお、作図上の制約により、図中の濃淡はグレースケール値に換算した値を表している。
【００４２】
図１２（Ｃ）は、個々の原色データに対応する重み付け係数への変換例を表している。
図１２（Ｄ）は、Ｒデータに対応する重み付け係数の累積加算値の変化を表している。なお、破線で囲んで示す累積加算値が前述した重み係数和データR_th_sumに対応する。
【００４３】
図１２（Ｅ）及び（Ｆ）は、それぞれＧデータとＢデータについての重み付け係数の累積加算値の変化を表している。破線で囲んで示す累積加算値が前述した重み係数和データG_th_sum及びB_th_sumに対応する。
この算出ブロックにより、数画素だけでなく１ライン全体の原色データを反映した色別の重み係数和情報が算出される。
【００４４】
（ｂ）重み係数和の平均値算出ブロック
２つ目の機能ブロックは、ライン毎に、１ライン分の自色の重み係数和及び他色の重み係数和を用いることで、各ラインの他色情報も反映した補正係数値を原色データ別に算出する機能ブロックである。図１０では、この機能ブロックを重み係数和平均値算出部４３で示す。なお、重み係数和の平均値算出ブロックは、特許請求の範囲における「補正係数値算出部」に対応する。
【００４５】
図１０に示す重み係数和平均値算出部４３は、原色データ別に同じラインの他色情報も反映した重み係数和の平均値又は各原色データに対応するライン単位の重み係数和を所定の比率で混合した値を、補正係数値として算出する。
【００４６】
なお、補正係数値の算出方法は事前に与えられる。図１３に、算出例を示す。ここで、算出例１は、各色に対応する重み係数和平均値α_R、α_G、α_Bを、各色に対応する重み係数和を同じ演算式で算出する場合を表している。この場合、重み係数和平均値α_R、α_G、α_Bはいずれも同じ値になる。
【００４７】
一方、算出例２は、各色に対応する重み係数和平均値α_R、α_G、α_Bを、それぞれ異なる演算式で算出する場合を表している。なお、Ｒデータ用の係数をＰ_r、Ｇデータ用の係数をＰ_g、Ｂデータ用の係数をＰ_bとする。
この算出ブロックにより、同じライン上に位置する全ての画素データを反映した色別の重み係数情報が算出される。
【００４８】
（ｃ）原色データ別の重み係数和算出ブロック（処理対象とする画素位置まで）
３つ目の機能ブロックは、処理対象とする画素位置までの範囲内で原色データ別の重み係数和を算出する機能ブロックである。
【００４９】
図１０では、ＲデータＤＲin用の機能ブロックをβ_R算出部４５Ｒで示し、ＧデータＤＧin用の機能ブロックをβ_G算出部４５Ｇで示し、ＢデータＤＢin用の機能ブロックをβ_B算出部４５Ｂで示す。
【００５０】
なお、この算出処理の実行タイミングを調整するために、ラインメモリ４７Ｒ、４７Ｇ、４７Ｂと段数調整部４９Ｒ、４９Ｇ、４９Ｂを配置する。ラインメモリ４７Ｒ、４７Ｇ、４７Ｂは、１水平ライン分の原色データを記憶して時間調整するための記憶媒体である。また、段数調整部４９Ｒ、４９Ｇ、４９Ｂは、ラインメモリ４７Ｒ、４７Ｇ、４７Ｂから読み出される原色データの画素位置を調整するのに用いられる。
【００５１】
β_R算出部４５Ｒ、β_G算出部４５Ｇ及びβ_B算出部４５Ｂの処理動作は、R_th_sum算出部４１Ｒ、G_th_sum算出部４１Ｇ及びB_th_sum算出部４１Ｂの処理動作と基本的に同じである。ただし、β_R算出部４５Ｒ、β_G算出部４５Ｇ及びβ_B算出部４５Ｂの場合には、処理対象とする画素位置までに算出された重み係数和が、部分重み係数和データβ_R、β_G及びβ_Bとして１画素毎に出力される。
【００５２】
図１４に、部分重み係数和データβ_R、β_G及びβ_Bの算出イメージを示す。なお、図１４（Ａ）〜（Ｆ）は、それぞれ図１２（Ａ）〜（Ｆ）に対応する。
この算出ブロックにより、処理対象とする画素位置よりもスキャン方向前方にある画素データの情報を原色データ別に反映した重み係数和が算出される。
【００５３】
（ｄ）補正量の算出ブロック
４つ目の機能ブロックは、各色独立に現在の補正ポイントに対応した補正量を算出する機能ブロックである。
【００５４】
図１０では、Ｒデータ用の機能ブロックをＣ_R算出部５１Ｒで示し、Ｇデータ用の機能ブロックをＣ_G算出部５１Ｇで示し、Ｂデータ用の機能ブロックをＣ_B算出部５１Ｂで示す。
【００５５】
図１５に、補正量Ｃ_R、Ｃ_G、Ｃ_Bの算出に使用する演算式の例を示す。図中、係数R_data_f、G_data_f、B_data_fは、それぞれスキャン方向前方の補正量成分の算出用の係数である。また、係数R_data_b、G_data_b、B_data_bは、それぞれスキャン方向後方の補正量成分の算出用の係数である。これらの係数data_f及びdata_bは、Ｃ_R算出部５１Ｒ、Ｃ_G算出部５１Ｇ、Ｃ_B算出部５１Ｂに与えられる。
【００５６】
なお、各方向の係数は全ての色で共通の係数を使用しても良いし、色別に異なる係数を使用しても良い。また、各色に対応する係数は原色データの階調レベルの違いによらず同じ係数を用いても良いし、階調別に異なる係数を使用しても良い。
【００５７】
この形態例の場合、係数R_data_f＝G_data_f＝B_data_f＝２、R_data_b＝G_data_b＝B_data_b＝３とする。因みに、この例は、スキャン方向前方の補正量成分の算出用の係数よりもスキャン方向後方の補正量成分の算出用の係数の方が大きく、このことは、スキャン方向前方の補正量成分の比率よりも、スキャン方向後方の補正量成分の比率を増やすことを意味する。
【００５８】
また、前述したように、階調別に異なる係数を使用する例を図１６に示す。因みに、図１６は、Ｒデータ用のスキャン方向前方の補正量計算用の係数R_data_fについて表している。
このように、階調レベル別に異なる係数を使用する場合、全ての階調レベルに対して１つずつ係数R_data_fを設定したのでは情報量が多くなってしまう。
【００５９】
このため、この形態例の場合には、係数R_data_fの傾きが変化する位置（図中黒丸で示す。以下、「補正ポイント」という。）の階調レベルの情報と対応する係数R_data_fとの組み合わせ情報のみを外部から与える方法を採用する。
【００６０】
なお、２つの補正ポイントの中間に位置する階調レベルに対応付ける係数R_data_fは、近傍に位置する２つの補正ポイントに対応付けられた係数R_data_fの線形補間により求めるようにする。
【００６１】
ところで、スキャン方向前方の補正量成分は、重み係数和平均値算出部４３が算出した補正係数値（例えば前述の算出例１で示したもの：それぞれ対応する原色データ用の重み係数和平均値）とβ_R算出部４５Ｒ、β_G算出部４５Ｇ及びβ_B算出部４５Ｂが算出した部分重み係数和データとの差分値に、前述した係数data_fを乗算することにより算出する。このように、スキャン方向前方の補正量成分には、１ラインを構成する全画素の階調レベル情報（３色全ての情報を含む。）とスキャン方向前方に位置する原色データ別の階調レベル情報が反映される。
【００６２】
一方、スキャン方向後方の補正量成分は、重み係数和平均値算出部４３が算出した補正係数値（例えば前述の算出例１で示したもの：それぞれ対応する原色データ用の重み係数和平均値）に、前述した係数data_bを乗算することにより算出する。このように、スキャン方向後方の補正量成分には、１ラインを構成する全画素の階調レベル情報（３色全ての情報を含む。）が反映される。
【００６３】
そして、スキャン方向前方の補正量成分とスキャン方向後方の補正量成分といった２種類の補正量成分を加算することにより、各画素位置に対応する補正量Ｃ_R、Ｃ_G、Ｃ_Bが原色データ別に算出される。
図１７に、補正量Ｃ_R、Ｃ_G、Ｃ_Bの算出イメージを示す。図１７（Ａ）は、原色データの入力例である。図中の「Ｒ」、「Ｇ」、「Ｂ」は、データがＲデータ、Ｇデータ、Ｂデータであることを示している。また、図中の数値は、データ長が８ビット（0〜255）で与えられる場合の数値例である。
【００６４】
図１７（Ｂ）は、原色データに対応する表示例のイメージ図である。図中の濃淡が図１７（Ａ）の数値に対応する。数値が小さいほど濃い色になる。なお、作図上の制約により、図中の濃淡はグレースケール値に換算した値を表している。
【００６５】
図１７（Ｃ）は、Ｒデータに対応する補正量Ｃ_Rの算出値を表している。図１７（Ｄ）は、Ｇデータに対応する補正量Ｃ_Gの算出値を表している。図１７（Ｅ）は、Ｂデータに対応する補正量Ｃ_Bの算出値を表している。
【００６６】
これら図１７（Ｃ）〜（Ｅ）に示すように、輝度差の大きい画素領域に対してスキャン方向前方とスキャン方向後方のそれぞれに、横クロストークの影響量を反映した補正値が現れていることが分かる。
【００６７】
（ｅ）横クロストーク補正ブロック
５つ目の機能ブロックは、原色データ別に逐次算出される補正量に基づいて処理対象位置の原色データを補正する機能ブロックである。図１０では、この機能ブロックを横クロストーク補正部５３Ｒ、５３Ｇ、５３Ｂで示す。
【００６８】
横クロストーク補正部５３Ｒ、５３Ｇ、５３Ｂのそれぞれは、段数調整部４９Ｒ、４９Ｇ、４９Ｂから入力される原色データに前述した補正量Ｃ_R、Ｃ_G、Ｃ_Bを加算し、又は原色データから前述した補正量Ｃ_R、Ｃ_G、Ｃ_Bを減算し、演算結果をサンプルホールド部３７に出力する処理を実行する。
【００６９】
なお、補正演算として加算処理と減算処理のいずれを採用するかは、液晶パネルの種類による。この補正演算の種類の選択は、選択信号ｓｅｌにより行われる。
【００７０】
（ｆ）まとめ
以上説明した処理方法の採用により、横クロストーク用の補正量に、１ラインを構成する全色全画素の階調レベルの情報を反映させることができる。
このため、スキャン方向前方に現れる横クロストークに対しても、スキャン方向後方に現れる横クロストークに対しても必要な補正量を算出することが可能になる。
【００７１】
また、各色に対応する補正量には、１ラインを構成する全色全画素の階調レベルの情報が反映されるため、色バランスにズレが生じないように横クロストークの補正量を算出できる。
【００７２】
なお、補正対象とする色の階調レベルだけに着目する従来方式の場合には、たとえ色単位では適切な補正量であったとしても、隣接する他色との間での補正量の調整が行われない。特に、ある色（例えば緑）の原色データだけが黒信号レベルの場合、従来技術の場合には他色への影響を補正できない。
【００７３】
このため、従来方式の場合には、色バランスが崩れて周辺とは異なる横クロストークとして視認されるのを排除できない。
また、色ズレは、カラーフィルタの色純度の違いによっても生じるが、やはり従来技術の場合には、色ズレが発生しないように横クロストークを補正することができない。
以上のように、前述した形態例に係る処理方法は従来技術に比して様々な点で優れている。
【００７４】
（Ｂ−２）処理例２
以下の処理動作では、図１８に示すように、垂直走査周波数が入出力間で２倍になる場合を想定する。すなわち、６０Ｈｚの垂直走査周波数を有する画像信号を１２０Ｈｚの垂直走査周波数を有する画像信号に変換して表示する場合を想定する。この表示方法は、動画応答特性を改善する技術として注目されている技術である。
【００７５】
図１９に、ディジタル信号処理部３５に適用して好適な回路構成例を示す。なお、図１９に示す回路構成の全部を集積回路として実現することもできるし、集積回路とソフトウェア処理との混合回路として実現することもできる。
【００７６】
図１９に示すディジタル信号処理部３５は、幾つかの機能ブロックで構成される。以下、機能ブロック別に処理内容を説明する。なお、図１９には、処理例１に対応する図１０との対応部分に同一符号を付して表している。
【００７７】
なお、以下の説明は、同じ画像内容のフィールド画像が２フィールドずつ続けて入力される場合ものとして説明する。すなわち、入力時のフィールド画像をＡ、Ｂ、Ｃ…で表すと、ＡＡＢＢＣＣ…と２回ずつ同じ画像内容が連続して出力される場合を想定する。
もっとも、２フィールド目の画像を１フィールド目の画像等から動き補正により生成している場合にも（ＡＡ’ＢＢ’ＣＣ’…）、以下に説明する方法は適用可能である。
【００７８】
（ａ）原色データ別の重み係数和算出ブロック（ライン単位）
この処理例の場合にも、１つ目の機能ブロックとして、原色データ別に水平ライン単位で重み係数和を算出する機能ブロックを使用する。すなわち、ＲデータＤＲin用の機能ブロックとしてのR_th_sum算出部４１Ｒと、ＧデータＤＧin用の機能ブロックとしてのG_th_sum算出部４１Ｇと、ＢデータＤＢin用の機能ブロックとしてのB_th_sum算出部４１Ｂを使用する。
【００７９】
なお、これらの機能ブロックで実行される処理内容は、１フィールド目に実行される。処理内容は処理例１と同じであるので詳細な説明は省略する。
【００８０】
（ｂ）重み係数和の平均値算出ブロック
この処理例の場合も、２つ目の機能ブロックは、各ラインの他色情報も反映した補正係数値を算出する機能ブロックとして機能する。
【００８１】
すなわち、図１９に示す重み係数和平均値算出部４３は、原色データ別に同じラインの他色情報も反映した重み係数和の平均値又は各原色データに対応するライン単位の重み係数和を所定の比率で混合した値を、補正係数値として算出する。
【００８２】
この処理も１フィールド目に実行される。処理内容は処理例１と同じであるので省略する。なお、重み係数和平均値算出部４３により１水平ライン単位で算出される重み係数和平均値α_R、α_G、α_Bは、１フィールド分の記憶容量を有するラインメモリ６１に格納される。以上が１フィールド目に実行される処理内容である。
【００８３】
このように、この処理例では、１フィールド目の画像に対しては、横クロストーク補正は実行されないことになる。図１９には示していないが、１フィールド目の画像は、これらの信号処理を経ずに後段のサンプルホールド部３７に出力される。
【００８４】
（ｃ）原色データ別の重み係数和算出ブロック（処理対象とする画素位置まで）
この処理例の場合も、３つ目の機能ブロックは、処理対象とする画素位置までの範囲内で原色データ別の重み係数和を算出する機能ブロックである。
【００８５】
すなわち、ＲデータＤＲin用の機能ブロックとしてのβ_R算出部４５Ｒと、ＧデータＤＧin用の機能ブロックとしてのβ_G算出部４５Ｇと、ＢデータＤＢin用の機能ブロックとしてのβ_B算出部４５Ｂとによって部分重み係数和β_R、β_G及びβ_Bが算出される。
【００８６】
なお、これらの機能ブロックで実行される処理内容は、２フィールド目に実行される。１フィールド目の画像と同一又はほぼ同一の画像が入力されるため、１フィールド目に算出した重み係数和平均値α_R、α_G、α_Bを利用できるためである。また、倍速表示に伴い信号処理に割り当てられる時間自体が半減するためでもある。
【００８７】
従って、システムが利用可能な演算能力が高まった場合には、処理例１で説明した動作を倍速表示時にも適用する選択が可能となる。なお、β_R算出部４５Ｒ、β_G算出部４５Ｇ、β_B算出部４５Ｂの処理内容は処理例１と同じであるので省略する。
【００８８】
（ｄ）補正量の算出ブロック
この処理例の場合も４つ目の機能ブロックは、各色独立に現在の補正ポイントに対応した補正量を算出する機能ブロックである。
【００８９】
すなわち、Ｃ_R算出部５１Ｒ、Ｃ_G算出部５１Ｇ及びＣ_B算出部５１Ｂにより、補正量Ｃ_R、Ｃ_G、Ｃ_Bを算出する。
前述したように、これらの機能ブロックで実行される処理内容は、２フィールド目に実行される。
【００９０】
この処理例の場合、補正量Ｃ_R、Ｃ_G、Ｃ_Bの算出に１フィールド目に算出された補正係数値としての重み係数和平均値α_R、α_G、α_Bを用いる点を除き、処理内容自体は処理例１と同じであるので詳細な説明は省略する。
【００９１】
（ｅ）横クロストーク補正ブロック
この処理例の場合も、５つ目の機能ブロックは、原色データ別に逐次算出される補正量に基づいて処理対象位置の原色データを補正する機能ブロックである。すなわち、横クロストーク補正部５３Ｒ、５３Ｇ、５３Ｂが、段数調整部４９Ｒ、４９Ｇ、４９Ｂから入力される原色データに補正量Ｃ_R、Ｃ_G、Ｃ_Bを加算し、又は原色データから前述した補正量Ｃ_R、Ｃ_G、Ｃ_Bを減算し、演算結果をサンプルホールド部３７に出力する処理を実行する。
【００９２】
前述したように、これらの機能ブロックで実行される処理内容は２フィールド目に実行される。処理内容は処理例１と同じであるので詳細な説明は省略する。
【００９３】
（ｆ）まとめ
この処理例の場合にも、前述した処理例１と同様の補正効果を期待できる。
加えて、この処理例の場合には、１水平ライン分の原色データを保持するためのラインメモリ（Ｒデータ、Ｇデータ、Ｂデータの３色分）が不要となる。一方、この処理例では、重み係数和平均値α_R、α_G、α_Bを１フィールド分保持するためのラインメモリが新たに必要となるが、そのメモリ容量は格段に小さく済む。
従って、ディジタル信号処理部３５を構成する回路サイズの小型化を実現できる。
【００９４】
（Ｃ）他の形態例
（Ｃ−１）製品例
（ａ）ドライブＩＣ
前述の説明では、液晶ディスプレイ２３、信号処理部２５、システム制御部２７その他部品を組み立てた液晶表示装置について説明した。
【００９５】
しかし、液晶ディスプレイ２３、信号処理部２５、システム制御部２７その他部品はそれぞれ別々に製造し、それぞれ独立した製品として流通することもできる。例えば、信号処理部２５は特定用途向けＩＣ（ＡＳＩＣ）として製造し、独立に流通することもできる。
【００９６】
（ｂ）表示モジュール
前述した液晶ディスプレイ２３は、図２０に示す外観構成を有する表示モジュール７１の形態でも流通することもできる。
表示モジュール７１は、液晶層を２枚のガラス基板モジュールで挟んだ液晶パネル７３を基体とし、画素アレイ部３の周辺に駆動回路５、７、９や信号処理部２５等を形成又は実装することで構成される。
【００９７】
（ｃ）電子機器
前述した横クロストーク補正機能は液晶表示装置２１に実装した商品形態だけでなく、その他の電子機器に実装した商品形態でも流通される。例えばプロジェクターにも実装できる。
以下、他の電子機器への実装例を示す。
【００９８】
図２１に、電子機器がテレビジョン受像機の場合の外観例を示す。図２１に示すテレビジョン受像機８１は、フロントパネル８３の正面に表示モジュール７１を配置した構造を有している。なお、表示モジュール７１のうち画素アレイ部３以外は、フロントパネル８３に隠れている。
【００９９】
図２２に、電子機器がデジタルカメラの場合の外観例を示す。なお、図２２（Ａ）はデジタルカメラの正面側（被写体側）外観例であり、図２２（Ｂ）はデジタルカメラの背面側（撮影者側）外観例である。
【０１００】
デジタルカメラ９１は、保護カバー９３、撮像レンズ部９５、表示モジュール７１、コントロールスイッチ９７、シャッターボタン９９その他で構成される。表示モジュール７１のうち画素アレイ部３以外は筐体の下に隠れている。
【０１０１】
図２３に、電子機器がビデオカメラの場合の外観例を示す。ビデオカメラ１０１は、本体１０３の前方に被写体を撮像する撮像レンズ１０５、撮影のスタート／ストップスイッチ１０７及び表示モジュール７１が配置される。なお、表示モジュール７１のうち画素アレイ部３以外は筐体の下に隠れている。
【０１０２】
図２４に、電子機器が携帯電話機の場合の外観例を示す。図２４に示す携帯電話機１１１は折りたたみ式であり、図２４（Ａ）が筐体を開いた状態の外観例であり、図２４（Ｂ）が筐体を折りたたんだ状態の外観例である。
【０１０３】
携帯電話機１１１は、上側筐体１１３、下側筐体１１５、連結部（この例ではヒンジ部）１１７、表示モジュール１１９（７１）、補助表示モジュール１２１（７１）、ピクチャーライト１２３、撮像レンズ１２５で構成される。なお、表示モジュール１１９及び補助表示モジュール１２１のうち画素アレイ部３以外は筐体の下に隠れている。
【０１０４】
図２５に、電子機器がコンピュータの場合の外観例を示す。コンピュータ１３１は、下型筐体１３３、上側筐体１３５、キーボード１３７及び表示モジュール７１で構成される。なお、表示モジュール７１のうち画素アレイ部３以外は筐体の下に隠れている。
【０１０５】
これらの他、表示モジュール７１は、オーディオ再生装置、ゲーム機、電子ブック、電子辞書その他の電子機器にも搭載できる。
【０１０６】
（Ｃ−３）その他
前述した形態例には、発明の趣旨の範囲内で様々な変形例が考えられる。例えば各種係数と階調レベルの範囲との対応関係は前述した例以外にも適用できる。また、本明細書の記載に基づいて創作される又は組み合わせられる各種の変形例及び応用例も考えられる。
【図面の簡単な説明】
【０１０７】
【図１】基板モジュールの回路構成を示す図である。
【図２】サブ画素の回路構成を示す図である。
【図３】横クロストークの発生原理を説明する図である。
【図４】横クロストークの発生原理を説明する図である。
【図５】横クロストークの発生イメージを示す図である。
【図６】従来技術を説明する図である。
【図７】液晶表示装置の主要構成部分を示す図である。
【図８】信号処理部の内部構成例を示す図である。
【図９】処理例１で想定する垂直走査周波数の入出力関係を説明する図である。
【図１０】コントラストの制御動作を示す図である。
【図１１】ディジタル信号処理部の回路構成例を示す図である。
【図１２】重み係数和の算出処理イメージを示す図である。
【図１３】重み係数和平均値の算出処理イメージを示す図である。
【図１４】部分重み係数和の算出処理イメージを示す図である。
【図１５】補正量の算出処理イメージを示す図である。
【図１６】係数と階調レベルとの対応関係の一例を示す図である。
【図１７】補正量の算出処理イメージを示す図である。
【図１８】処理例２で想定する垂直走査周波数の入出力関係を説明する図である。
【図１９】ディジタル信号処理部の回路構成例を示す図である。
【図２０】表示モジュールの構成例を示す図である。
【図２１】電子機器の商品例を示す図である。
【図２２】電子機器の商品例を示す図である。
【図２３】電子機器の商品例を示す図である。
【図２４】電子機器の商品例を示す図である。
【図２５】電子機器の商品例を示す図である。
【符号の説明】
【０１０８】
２１        液晶表示装置
２３        液晶ディスプレイ
２５        信号処理部
２７        システム制御部
３５        ディジタル信号処理部
【図１】
0004626636.tif 000002
【図２】
0004626636.tif 000003
【図３】
0004626636.tif 000004
【図４】
0004626636.tif 000005
【図７】
0004626636.tif 000006
【図８】
0004626636.tif 000007
【図９】
0004626636.tif 000008
【図１０】
0004626636.tif 000009
【図１１】
0004626636.tif 000010
【図１３】
0004626636.tif 000011
【図１５】
0004626636.tif 000012
【図１６】
0004626636.tif 000013
【図１８】
0004626636.tif 000014
【図１９】
0004626636.tif 000015
【図２０】
0004626636.tif 000016
【図５】
0004626636.tif 000017
【図６】
0004626636.tif 000018
【図１２】
0004626636.tif 000019
【図１４】
0004626636.tif 000020
【図１７】
0004626636.tif 000021
【図２１】
0004626636.tif 000022
【図２２】
0004626636.tif 000023
【図２３】
0004626636.tif 000024
【図２４】
0004626636.tif 000025
【図２５】
0004626636.tif 000026